(57)【要約】【課題】アイコンへの入力を行いやすくすることができる情報処理装置を提供する。【解決手段】携帯電話１０は、アイコン２０を外周１２ａに近接した外寄りに表示するタッチパネルディスプレイ１２と、外寄りのアイコン２０におけるタッチ箇所を検出する検出部１４と、検出部１４で検出されたタッチ箇所に基づいて、外寄りのアイコン２０において、内側部分２２へのタッチ回数が外側部分２４，２６へのタッチ回数よりも多いか否かを判定する判定部１６と、判定部１６で内側部分２２へのタッチ回数が外側部分２４，２６へのタッチ回数よりも多いと判定された場合に、外寄りのアイコン２０を内側にずらして表示させる制御部１８とを備えている。このような構成により、タッチパネルディスプレイ１２の外周１２ａに保護カバーがかかっている等の状況を検出して、これに応じて、アイコン２０の表示箇所を修正できる。【選択図】図３
2011215876.tif 000002
【特許請求の範囲】
【請求項１】
アイコンを表示するタッチパネルディスプレイと、
前記アイコンにおけるタッチ箇所を検出する検出手段と、
前記検出手段で検出された前記タッチ箇所に基づいて、前記アイコンの一の端部へのタッチ回数が他の部分へのタッチ回数よりも多いか否かを判定する判定手段と、
前記判定手段で前記一の端部へのタッチ回数が前記他の部分へのタッチ回数よりも多いと判定された場合に、前記アイコンを前記一の端部側にずらして表示させる制御手段と、
を備えることを特徴とする情報処理装置。
【請求項２】
前記タッチパネルディスプレイは、前記アイコンを含む複数のアイコンを一列に表示し、
前記制御手段は、前記アイコンを前記一の端部側にずらして表示させる際、前記アイコンのずれ量に基づいて前記複数のアイコンを再配置して表示させることを特徴とする請求項１に記載の情報処理装置。
【請求項３】
前記制御手段は、前記複数のアイコンを再配置して表示させる際、配列方向に隣接する前記複数のアイコンそれぞれが互い違いとなるように前記配列方向と交差する方向にずらすことを特徴とする請求項２に記載の情報処理装置。
【請求項４】
前記検出手段は、前記一の端部に対向する他の端部から前記一の端部に向かって前記アイコンを少なくとも三つに分けた部分ごとにタッチ箇所を検出し、
前記判定手段は、前記三つの部分の内、前記一の端部側の一つの部分を前記一の端部として判定すると共に、残りの二つの部分を前記他の部分として判定することを特徴とする請求項１〜３の何れか一項に記載の情報処理装置。
【請求項５】
アイコンを表示する第一の表示ステップと、
前記アイコンにおけるタッチ箇所を検出する検出ステップと、
前記検出ステップにて検出された前記タッチ箇所に基づいて、前記アイコンの一の端部へのタッチ回数が他の部分へのタッチ回数よりも多いか否かを判定する判定ステップと、
前記判定ステップにて前記一の端部へのタッチ回数が前記他の部分へのタッチ回数よりも多いと判定された場合に、前記アイコンを前記一の端部側にずらして表示させる第二の表示ステップと、
を備えることを特徴とする表示制御方法。
【発明の詳細な説明】
【技術分野】
【０００１】
本発明は、情報処理装置及びその表示制御方法に関し、特に、タッチパネルディスプレイを備えた情報処理装置及びその表示制御方法に関する。
【背景技術】
【０００２】
近年、携帯電話等の情報処理装置にタッチパネルディスプレイが搭載され、このタッチパネルディスプレイに表示された各種アイコンをタッチすることで、所定の操作を行える場合がある。その一方、このような情報処理装置では、ユーザが自身の個性を出すために装置の外観をカスタマイズしたり、装置を保護するためにカバーをかぶせたりすることがある（例えば特許文献１参照）。
【先行技術文献】
【特許文献】
【０００３】
【特許文献１】特開平１１−２９９５２２号公報
【発明の概要】
【発明が解決しようとする課題】
【０００４】
ところで、上述したタッチパネルディスプレイを備えた情報処理装置において、装置外観をカスタマイズしたり保護カバーをかぶせたりした場合、タッチパネルディスプレイの外周にカスタマイズが及んだり、保護カバーがかかったりしてしまい、タッチパネルディスプレイの外周付近に表示されたアイコンへの入力が行いづらくなるといった問題があった。
【０００５】
そこで、本発明は、アイコンへの入力を行いやすくすることができる情報処理装置及びその表示制御方法を提供することを目的とする。
【課題を解決するための手段】
【０００６】
上記の課題を解決するために、本発明に係る情報処理装置は、アイコンを表示するタッチパネルディスプレイと、アイコンにおけるタッチ箇所を検出する検出手段と、検出手段で検出されたタッチ箇所に基づいて、アイコンの一の端部へのタッチ回数が他の部分へのタッチ回数よりも多いか否かを判定する判定手段と、判定手段で一の端部へのタッチ回数が他の部分へのタッチ回数よりも多いと判定された場合に、アイコンを一の端部側にずらして表示させる制御手段とを備えることを特徴としている。
【０００７】
また、上記課題を解決するために、本発明に係る表示制御方法は、アイコンを表示する第一の表示ステップと、アイコンにおけるタッチ箇所を検出する検出ステップと、検出ステップにて検出されたタッチ箇所に基づいて、アイコンの一の端部へのタッチ回数が他の部分へのタッチ回数よりも多いか否かを判定する判定ステップと、判定ステップにて一の端部へのタッチ回数が他の部分へのタッチ回数よりも多いと判定された場合に、アイコンを一の端部側にずらして表示させる第二の表示ステップとを備えることを特徴としている。
【０００８】
この情報処理装置又は表示制御方法によれば、アイコンの一の端部へのタッチ回数が他の部分へのタッチ回数よりも多いか否かを判定し、一の端部へのタッチ回数が他の部分へのタッチ回数よりも多いと判定された場合に、アイコンを一の端部側にずらして表示させるようになっている。この場合、タッチパネルディスプレイの外周にカスタマイズが及んでいる又は保護カバーがかかっている等のためにユーザがアイコンの一の端部を押下げしてしまうといった状況を検出でき、この検出結果に応じて、そのアイコンを見やすい位置にずらすようになるため、アイコンへの入力を行いやすくすることができる。
【０００９】
上記情報処理装置において、タッチパネルディスプレイは、アイコンを含む複数のアイコンを一列に表示し、制御手段は、アイコンを一の端部側にずらして表示させる際、アイコンのずれ量に基づいて複数のアイコンを再配置して表示させるようにしてもよい。この場合、移動対象となったアイコンを見やすい位置にずらす際のずれ量に基づいて他のアイコンを再配置することになるため、タッチパネルディスプレイ上の各アイコンを整理して表示することになり、移動対象となったアイコンを含む各アイコンへの入力を行いやすくすることができる。
【００１０】
上記情報処理装置において、制御手段は、複数のアイコンを再配置して表示させる際、配列方向に隣接する複数のアイコンそれぞれが互い違いとなるように配列方向と交差する方向にずらすようにしてもよい。この場合、各アイコンを互い違いに表示することにより、限られた表示範囲を有効に使うことができ、各アイコンへの入力を一層、行いやすくすることができる。
【００１１】
上記情報処理装置において、検出手段は、一の端部に対向する他の端部から一の端部に向かってアイコンを少なくとも三つに分けた部分ごとにタッチ箇所を検出し、判定手段は、三つの部分の内、一の端部側の一つの部分を一の端部として判定すると共に、残りの二つの部分を他の部分として判定するようにしてもよい。この場合、他の端部から一の端部に向かってアイコンを三つ以上に分けて上述した検出や判定を行うことになり、タッチパネルディスプレイの外周にカスタマイズが及んでいる等の状況であるか否かをより精度よく検出することができる。
【発明の効果】
【００１２】
本発明によれば、アイコンへの入力を行いやすくすることができる。
【図面の簡単な説明】
【００１３】
【図１】タッチパネルディスプレイを備えた携帯電話の一例を示す平面図である。
【図２】携帯電話のハードウェア構成を示す図である。
【図３】携帯電話の機能構成を示すブロック図である。
【図４】タッチパネルディスプレイ上のアイコンと保護カバーとの関係を示す図である。
【図５】アイコンを三つの部分に分けた状態を示す図である。
【図６】タッチパネルディスプレイ上のアイコンをずらして表示させた例を示した図である。
【図７】タッチパネルディスプレイ上のアイコンをずらして表示させた別の例を示した図である。
【図８】携帯電話での表示制御方法を示すフローチャートである。
【図９】タッチパネルディスプレイ上のアイコンを互い違いに表示させた例を示した図である。
【図１０】タッチパネルディスプレイ上のアイコンを互い違いに表示させた別の例を示した図である。
【発明を実施するための形態】
【００１４】
以下、図面を参照して、本発明に係る好適な実施形態について詳細に説明する。なお、図面の説明において、可能な場合には、同一要素には同一符号を付し、重複する説明を省略する。
【００１５】
本実施形態に係る携帯電話１０は、図１に示されるように、液晶ディスプレイから構成される表示画面上にタッチパネルが配設されたタッチパネルディスプレイ１２を含んで構成される。本実施形態では、以下、携帯電話１０を例にとって説明するが、タッチパネルディスプレイ１２を備えた情報処理装置であればよく、携帯電話に限らず、タッチパネル型のパーソナルコンピュータや音楽プレーヤーなどに本発明を適用してもよい。
【００１６】
携帯電話１０は、図２に示されるように、物理的には、ＣＰＵ１０ａ、ＲＡＭ１０ｂ、ＲＯＭ１０ｃ、入力装置１０ｄ、出力装置１０ｅ、通信装置１０ｆ及び記録装置１０ｇを備えており、これらはバス１０ｈに接続されている。ＣＰＵ１０ａは、ＲＯＭ１０ｃや記録装置１０ｇ等の内蔵メモリに格納された所定のコンピュータソフトウェア（図８に示す携帯電話１０の行う処理を実行するためのコンピュータプログラム等を含む）をＲＡＭ１０ｂにロードして実行することにより、携帯電話１０を統括的に制御する。
【００１７】
入力装置１０ｄは、タッチパネル等からなる入力用デバイスであり、入力されたデータをＣＰＵ１０ａに出力する。出力装置１０ｅは、ＬＣＤ等の表示装置やスピーカ等の音声出力装置であり、ＣＰＵ１０ａから入力された画像情報等（例えばアイコンなど）を表示画面に表示する。通信装置１０ｆは、通信網等を介して他の携帯電話との間で通話や通信を行うためのインターフェイスを有する。記録装置１０ｇは、ＣＰＵ１０ａの実行可能なコンピュータソフトウェアを格納する。後述する各機能は、ＣＰＵ１０ａがＲＯＭ１０ｃや記録装置１０ｇ等に格納されたコンピュータソフトウェアを実行し、図２に示す携帯電話１０の各構成部を動作させることにより実現される機能である。
【００１８】
続いて、図３を参照して、携帯電話１０の機能構成について説明する。携帯電話１０は、機能的には、タッチパネルディスプレイ１２、検出部１４（検出手段）、判定部１６（判定手段）及び制御部１８（制御手段）を備えている。
【００１９】
タッチパネルディスプレイ１２は、その外周１２ａが略矩形状に形成されており、ＬＣＤ等の表示画面とタッチパネル部とを含んで構成される。表示画面には制御部１８による表示制御により各種の画像情報（例えばアイコン等）が表示される。タッチパネル部は、この表示画面の略全面を覆おうように配置される。タッチパネル部は、表示画面上に配置された際に表示画面に表示される各種情報が視認できる程度の透明度を有しており、入力の検出方式としては、抵抗膜方式、表面弾性波方式や静電容量方式などが適宜、選択され得る。
【００２０】
このような構成を備えたタッチパネルディスプレイ１２は、図４に示されるように、制御部１８の制御に基づいて、アイコン２０を外周１２ａに近接した外寄りに表示する。図４に示されるタッチパネルディスプレイ１２には、他のアイコンも表示され得るが、説明の便宜上、ここでは、外寄りのアイコン２０のみを記載し他を省略する。そして、タッチパネルディスプレイ１２は、ユーザの指Ｆによってアイコン２０へのタッチ操作（押下げ操作）が行われた場合、そのタッチ操作に伴って発生する出力信号を検出部１４及び制御部１８に出力する。この出力信号には、押下げがされたアイコン２０を特定する特定情報とそのタッチ箇所を示す位置情報とが含まれている。なお、携帯電話１０では、図示点線で示されるように、タッチパネルディスプレイ１２の外周１２ａの上下部分の箇所にかかるように保護カバーＣが例えば被せられており、外寄りに表示されたアイコン２０の外側部分への入力等が当初は行いづらくなっている。
【００２１】
検出部１４は、タッチパネルディスプレイ１２に表示されたアイコン２０に対してユーザがタッチ操作を行った場合に、アイコン２０へのタッチ箇所を検出する部分である。検出部１４は、アイコン２０に対するタッチ操作に伴って発生する出力信号をタッチパネルディスプレイ１２から取得すると、その出力信号からタッチ箇所を示す位置情報を抽出する。そして、検出部１４は、アイコン２０の表示領域を、図５に示されるように、外周１２ａから内側に向かって三つの部分２２，２４，２６に分割し、抽出した位置情報が何れの部分に含まれるかのタッチ部分情報を生成する。このタッチ部分情報は、抽出した位置情報が内側部分２２（一の端部）に含まれることを示す内側タッチ部分情報と、抽出した位置情報が外側部分２４，２６（他の部分）に含まれることを示す外側タッチ部分情報とを含む。検出部１４は、生成したタッチ部分情報を判定部１６に出力する。
【００２２】
判定部１６は、検出部１４で検出されたタッチ箇所に基づいて、アイコン２０において、内側部分２２へのタッチ回数が外側部分２４，２６の個別のタッチ回数よりも多いか否かを判定する部分である。判定部１６は、検出部１４からタッチ部分情報を取得すると、取得したタッチ部分情報が内側タッチ部分情報であるか又は外側タッチ部分情報であるかを判定し、内側部分２２へのタッチ回数又は外側部分２４，２６へのタッチ回数のいずれかに積算する。そして、判定部１６は、アイコン２０への総タッチ回数が所定の回数（例えば１０回）を超えた場合に、アイコン２０において、内側部分２２へのタッチ回数が外側部分２４，２６へのタッチ回数よりも多いか否かを判定する。判定部１６は、内側部分２２へのタッチ回数が外側部分２４，２６へのタッチ回数よりも多いと判定した場合、内側優先信号を生成して、制御部１８に内側優先信号を出力する。
【００２３】
制御部１８は、判定部１６で内側部分へのタッチ回数が外側部分へのタッチ回数よりも多いと判定された場合に、アイコン２０を内側（一の端部側）にずらして表示させる部分である。制御部１８は、判定部１６から内側優先信号を取得すると、その信号から、判定部１６において内側部分へのタッチ回数が外側部分へのタッチ回数よりも多いと判断されたことを認識し、図６に示されるように、アイコン２０を当初の位置（図６（ａ）参照）から所定距離、内側に移動した位置（図６（ｂ）参照）にずらして表示させる。ここで用いる内側とは、外周１２ａの上下辺の対向方向における中央を意味する。なお、制御部１８は、タッチパネルディスプレイ１２から出力信号を取得すると、出力信号に含まれる特定情報に基づいて、当該アイコン２０に対応づけられた所定の機能を起動させる等の処理を行う。
【００２４】
なお、図７（ａ）に示されるように、タッチパネルディスプレイ１２がアイコン３０を外周１２ａの左右辺に近接した外寄りに表示する場合もあり、この場合、上記と同様、検出部１４は、アイコン３０に対してユーザが行ったタッチ箇所を検出し、判定部１６は、検出されたタッチ箇所に基づいて、アイコン３０の内側部分へのタッチ回数が外側部分のタッチ回数よりも多いか否かを判定する。そして、制御部１８は、内側部分へのタッチ回数が外側部分へのタッチ回数よりも多いと判定された場合に、図７（ｂ）に示されるように、アイコン３０を内側にずらして表示させる。ここで用いる内側とは、外周１２ａの左右辺の対向方向における中央側を意味する。
【００２５】
続いて、上述した構成を備えた携帯電話１０における表示制御方法について、図８を参照して詳細に説明する。
【００２６】
まず、携帯電話１０の電源がＯＮ状態にされると、予め表示箇所が設定されているアイコンがタッチパネルディスプレイ１２に表示され、それと共に、タッチパネルディスプレイ１２のタッチ検出機能が起動される。そして、何れのアイコンに対するタッチ（押下げ）がユーザによって行われたかを検出する。この検出によって、ユーザによってタッチされたアイコンが外寄りのアイコン２０，３０であるか否かがまず判定される（ステップＳ１）。ステップＳ１で、ユーザによってタッチされたアイコンが外寄りのアイコン２０，３０であると判定されるとステップＳ２に進む。
【００２７】
続いて、ステップＳ２では、タッチされたアイコンが上下辺に近接するアイコン２０であるか否かが判定される。判定の結果、タッチされたアイコンがアイコン２０であれば、ステップＳ３，Ｓ４に進み、検出部１４によって、アイコン２０の表示領域が外周１２ａから内側に向かう三つの部分２２，２４，２６に分割されると共に（図５参照）、内側部分２２が判定対象に設定されて、タッチパネルディスプレイ１２のタッチ位置を示す位置情報がこの内側部分２２に含まれることを示す内側タッチ部分情報、又は、その位置情報が外側部分２４，２６に含まれることを示す外側タッチ部分情報の何れかが生成され、ステップＳ５に進む。
【００２８】
一方、ステップＳ２での判定の結果、タッチされたアイコンがアイコン３０であれば、ステップＳ６，Ｓ７に進み、検出部１４によって、アイコン３０の表示領域が外周１２ａから内側に向かう三つの部分に分割されると共に、内側部分が判定対象に設定されて、タッチパネルディスプレイ１２のタッチ位置を示す位置情報がこの内側部分に含まれることを示す内側タッチ部分情報、又は、その位置情報が外側部分に含まれることを示す外側タッチ部分情報の何れかが生成され、ステップＳ５に進む。
【００２９】
続いて、ステップＳ５では、判定部１６によって、タッチ部分情報が内側タッチ部分情報であるか又は外側タッチ部分情報であるかが判定され、内側部分２２へのタッチ回数又は外側部分２４，２６へのタッチ回数のいずれかに積算される。そして、アイコン２０への総タッチ回数が所定の回数を超えた場合、判定対象となる内側部分２２へのタッチ回数が外側部分２４，２６へのタッチ回数よりも多いか否かが判定部１６によって判定される。ステップＳ５において、判定対象となる内側部分２２へのタッチ回数が外側部分２４，２６へのタッチ回数よりも多いと判定された場合には、ステップＳ８に進み、判定対象となる内側部分２２へのタッチ回数が外側部分２４，２６へのタッチ回数よりも少ないと判定された場合にはステップＳ１に戻る。
【００３０】
続いて、ステップＳ８では、ステップＳ２と同様に、タッチされたアイコンが上下辺に近接するアイコン２０であるか否かが判定される。判定の結果、タッチされたアイコンがアイコン２０であれば、ステップＳ９に進み、制御部１８によって、アイコン２０を当初の位置（図６（ａ）参照）から所定距離、内側に移動した位置（図６（ｂ）参照）にずれるように表示させる。一方、判定の結果、タッチされたアイコンがアイコン３０であれば、ステップＳ１０に進み、制御部１８によって、アイコン３０を当初の位置（図７（ａ）参照）から所定距離、内側に移動した位置（図７（ｂ）参照）にずれるように表示させる。
【００３１】
このように、本実施形態によれば、携帯電話１０では、アイコン２０（又は３０）において、内側部分２２へのタッチ回数が外側部分２４，２６へのタッチ回数よりも多いか否かを判定し、内側部分２２へのタッチ回数が外側部分２４，２６へのタッチ回数よりも多いと判定された場合に、アイコン２０（又は３０）を内側にずらして表示させるようになっている。このため、タッチパネルディスプレイ１２の外周にカスタマイズが及んでいる又は保護カバーがかかっている等のためにユーザがアイコン２０（又は３０）の内側部分２２を押下げしてしまうといった状況を検出でき、この検出結果に応じて、そのアイコン２０（又は３０）を見やすい位置にずらすようになるため、アイコン２０（又は３０）への入力を行いやすくすることができる。
【００３２】
また、本実施形態では、検出部１４は、外周１２ａから内側に向かってアイコン２０（又は３０）を三つに分けた部分２２，２４，２６ごとにタッチ箇所を検出し、判定部１６は、三つの部分２２，２４，２６の内、最も内側の部分２２を内側部分として判定すると共に、残りの二つの部分２４，２６を外側部分として判定するようになっている。このため、外周１２ａから内側に向かってアイコン２０（又は３０）を三つに分けて上述した検出や判定を行うことにより、タッチパネルディスプレイ１２の外周１２ａにカスタマイズが及んでいる等の状況であるか否かをより精度よく検出することができるようになっている。
【００３３】
以上、本発明をその実施形態に基づき具体的に説明したが、本発明は、上記実施形態に限定されるものではない。例えば、上記実施形態の図６等では、外寄りのアイコン２０以外のアイコンの記載を省略して説明したが、図９（ａ）に示されるように、外周１２ａの上下辺の対向方向（配列方向）に沿って、外寄りのアイコン２０ａ，２０ｂと複数のアイコン２８とをタッチパネルディスプレイ１２に当初、一列に表示させる場合もある。この場合においては、上述した判定を行って、アイコン２０ａ，２０ｂそれぞれを内側にずらして表示させる際、アイコン２０，２８の全部、又は、その一部もそれに併せて再配置するため、これらアイコン２０，２８を内側にずらして表示させるようにしてもよい。この場合、アイコン２０ａ，２０ｂをこのように見やすい位置にずらした際にそれに併せて他のアイコン２８もずらして表示させることになるため、タッチパネルディスプレイ１２上の各アイコン２０，２８を整理して表示することになり、外寄りアイコン２０を含む各アイコン２０，２８への入力をユーザが行いやすくすることができる。
【００３４】
更に、上記したようにアイコン２０，２８を内側にずらして表示させる際、図９（ｂ）に示されるように、対向方向に互いに隣接する各アイコン２０，２８それぞれが互い違いになるようにこれらアイコン２０，２８を対向方向と直交する方向にずらして表示させるようにしてもよい。このように、各アイコン２０，２８を互い違いに表示することにより、タッチパネルディスプレイ１２の限られた表示範囲を有効に使うことができ、外寄りアイコン２０を含む各アイコン２０，２８への入力を一層、行いやすくすることができる。
【００３５】
また、上記実施形態の図７では、外寄りのアイコン３０以外のアイコンの記載を省略して説明したが、図１０（ａ）に示されるように、外周１２ａの左右辺の対向方向（配列方向）に沿って、外寄りのアイコン３０ａ，３０ｂと複数のアイコン３８とをタッチパネルディスプレイ１２に当初、一列に表示させる場合もある。この場合において、上述した判定を行って、外寄りアイコン３０ａ，３０ｂそれぞれを内側にずらして表示させる際、アイコン３０，３８の全部、又は、その一部もそれに併せて再配置するため、これらアイコン３０，３８を内側にずらして表示させるようにしてもよい。この場合、アイコン３０ａ，３０ｂをこのように見やすい位置にずらした際にそれに併せて他のアイコン３８もずらして表示させることになるため、タッチパネルディスプレイ１２上の各アイコン３０，３８を整理して表示することになり、上記同様、外寄りアイコン３０を含む各アイコン３０，３８への入力をユーザが行いやすくすることができる。
【００３６】
更に、上記したようにアイコン３０，３８を内側にずらして表示させる際、図１０（ｂ）に示されるように、左右辺の対向方向に互いに隣接する各アイコン３０，３８それぞれが互い違いになるようにこれらアイコン３０，３８を対向方向と直交する方向にずらして表示させるようにしてもよい。このように、各アイコン３０，３８を互い違いに表示することにより、上記同様、タッチパネルディスプレイ１２の限られた表示範囲を有効に使うことができ、外寄りアイコン３０を含む各アイコン３０，３８への入力を一層、行いやすくすることができる。
【００３７】
また、上記実施形態では、外寄りのアイコン２０，３０を３つの部分に分けて検出及び判定を行っていたが、２つ以上の部分に分けて検出及び判定を行えばよく、例えば５つや７つといった部分に分けて検出及び判定を行ってもよい。また、上記実施形態では、内側部分２２へのタッチ回数が外側部分２４，２６への個別のタッチ回数よりも多いか否かで判定を行っていたが、内側部分へのタッチ回数が外側部分２４，２６の合計タッチ回数よりも多いか否かで判定するようにしてもよく、更に、内側部分２２へのタッチ回数が全体（即ち部分２２，２４，２６のすべて）へのタッチ総数の８０％以上となっているか否かで、上述した判定を判定部１６で行うようにしてもよい。なお、各部分２２，２４，２６の何れかにまたがってタッチされた場合には、その接触面積に応じて、いずれかの部分へのタッチとして算出してもよいし、又は、接触面積に比例してタッチ回数を分けるようにしてもよい。
【００３８】
また、上記実施形態では、タッチパネルディスプレイ１２の外周１２ａに近接した位置に配置されるアイコン２０，３０をずらして表示させる場合を例にとって説明したが、本発明が適用されるアイコンは、このような外寄りのアイコンに限られる必要はなく、タッチパネルディスプレイ１２の何れかの箇所に配置されたアイコンであればよい。このようなアイコンに本発明を適用する場合には、検出部１４で検出されたタッチ箇所に基づいて、判定部１６が、このようなアイコンの一の端部へのタッチ回数が他の部分へのタッチ回数よりも多いか否かを判定し、一の端部へのタッチ回数が他の部分へのタッチ回数よりも多いと判定された場合に、制御部１８が、アイコンを一の端部側にずらして表示させるようにする。これにより、タッチパネルディスプレイ１２に表示されたアイコンを見やすい位置にずらすことができ、上記実施形態と同様に、アイコンへの入力を行いやすくすることができる。
【符号の説明】
【００３９】
１０…情報処理装置、１２…タッチパネルディスプレイ、１４…検出部、１６…判定部、１８…制御部、２０，３０…アイコン、２２…内側部分、２４，２６…外側部分、２８，３８…アイコン。
【図１】
2011215876.tif 000003
【図２】
2011215876.tif 000004
【図３】
2011215876.tif 000005
【図４】
2011215876.tif 000006
【図５】
2011215876.tif 000007
【図６】
2011215876.tif 000008
【図７】
2011215876.tif 000009
【図８】
2011215876.tif 000010
【図９】
2011215876.tif 000011
【図１０】
2011215876.tif 000012